(57)【特許請求の範囲】
【請求項１】
ユニットルームの天井を構成する天井パネルの角部に取付け可能又は前記角部に一体的に構成され、前記天井パネルを支える支柱に締結される部位であって、前記支柱に対する締結方向が前記ユニットルームの内側から外側に向かう方向かつ前記角部を形成する前記天井パネルの２辺に対して傾斜する方向に設定された支柱固定部と、
前記支柱固定部の上端から連続して上方に延び、かつ、前記天井パネルの前記２辺に沿う方向に設定された天井固定部と、
を有する天井パネル固定具。
【請求項２】
前記支柱固定部は、前記支柱の内側又は外側に重ねて配置される請求項１に記載の天井パネル固定具。
【請求項３】
前記支柱に対して、前記支柱固定部と反対側に重ねて配置される当接部を有する請求項２に記載の天井パネル固定具。
【請求項４】
前記支柱に対して、前記支柱の長手方向に係合する座部を有する請求項１〜請求項３の何れか１項に記載の天井パネル固定具。
【請求項５】
前記天井固定部は、前記ユニットルームの内側からねじが締結可能とされ、水平方向に延びる長孔を有する請求項１〜請求項４の何れか１項に記載の天井パネル固定具。
【請求項６】
ユニットルームの天井を構成する天井パネルと、
前記ユニットルームを区画する壁パネルの内壁面よりも外側に立設され、前記壁パネルの端縁が固定されると共に、前記天井パネルの角部を支持し、前記ユニットルームの内側に向けて開口する開口部を有すると共に、前記開口部に対向する位置に設けられた締結部を有する支柱と、
前記支柱固定部が前記締結部に締結される請求項１〜請求項５の何れか１項に記載の天井パネル固定具と、
を有する天井パネル固定構造。
【請求項７】
前記支柱における前記締結部は、前記開口部に対向する平面である請求項６に記載の天井パネル固定構造。
【発明の詳細な説明】
【技術分野】
【０００１】
本発明は、ユニットルームに用いられる天井パネル固定具及び天井パネル固定構造に関する。
【背景技術】
【０００２】
防水パン、壁パネル、天井パネル、ドア、防水パンのコーナー部分に配置される支柱等から構成されたユニットルームが開示されている（特許文献１参照）。このユニットルームは、天井パネルを支柱に組み付けてから、壁パネルを支柱に組み付ける、天井先組み工法を可能とするものである。
【先行技術文献】
【特許文献】
【０００３】
【特許文献１】特開２０１２−１９８４号公報
【発明の概要】
【発明が解決しようとする課題】
【０００４】
しかしながら、天井先組み工法の場合、壁パネルを組み付ける前は、天井パネルが四隅の支柱によってのみ支えられているため、天井パネルにたわみが生じ易い。
【０００５】
これに対し、壁先組み工法がある。この工法では、壁パネルを支柱に組み付けてから、天井パネルを支柱に組み付けるので、壁パネルにより天井パネルの各辺を支えることができ、天井パネルにたわみが生じ難い。
【０００６】
しかしながら、従来の壁先組み工法では、天井パネル固定具を介して天井パネルを支柱にねじ留め（ビス打ち）する際に、ユニットルームの内側からは作業が行い難いため、ユニットルームの外側から作業を行っていた。その際、建物の壁面とユニットルームの壁パネルとの間隔が狭い場合には、天井パネルに設けられた点検口を通じて作業を行う必要があった。
【０００７】
本発明は、上記事実を考慮して、ユニットルームを壁先組み工法で組み立てる際に、天井パネルの締結作業をユニットルームの内側から行い易くすることを目的とする。
【課題を解決するための手段】
【０００８】
請求項１に係る天井パネル固定具は、ユニットルームの天井を構成する天井パネルの角部に取付け可能又は前記角部に一体的に構成され、前記天井パネルを支える支柱に締結される部位であって、に対する締結方向が、前記ユニットルームの内側から外側に向かう方向かつ前記角部を形成する前記天井パネルの２辺に対して傾斜する方向に設定された支柱固定部を有する。
【０００９】
この天井パネル固定具は、天井パネルを支柱に固定する際に用いられる。その際、天井パネル固定具に設けられた支柱固定部を、支柱に対して、ユニットルームの内側から外側に向かう方向かつ上記角部を形成する天井パネルの２辺に対して傾斜する方向に締結することができる。
【００１０】
請求項２の発明は、請求項１に記載の天井パネル固定具において、前記支柱固定部が、前記支柱の内側又は外側に重ねて配置される。
【００１１】
この天井パネル固定具を支柱に取り付ける際に、支柱固定部が支柱の内側又は外側に重ねて配置されるので、支柱に対する支柱固定部の締結作業を容易に行うことができる。例えばねじで支柱固定部を支柱に締結する際、支柱固定部がねじと支柱の間に挟まれ、支柱固定部が変形し難い。
【００１２】
請求項３の発明は、請求項２に記載の天井パネル固定具において、前記支柱に対して、前記支柱固定部と反対側に重ねて配置される当接部を有する。
【００１３】
この天井パネル固定具を支柱に取り付ける際に、支柱固定部が、支柱の内側及び外側の一方に重ねて配置され、当接部が、その他方に重ねて配置される。これにより、支柱は、支柱固定部及び当接部により挟み込まれた状態となる。このため、支柱に支柱固定部を締結する作業を安定して行うことができる。
【００１４】
請求項４の発明は、請求項１〜請求項３の何れか１項に記載の天井パネル固定具において、前記支柱に対して、前記支柱の長手方向に係合する座部を有する。
【００１５】
この天井パネル固定具を支柱に取り付ける際に、該天井パネル固定具に設けられた座部が、支柱に対して該支柱の長手方向に係合する。これにより、天井パネルの角部が支柱に仮支持されると共に、天井パネル固定具が支柱に対して位置決めされる。このため、支柱に支柱固定部を締結する作業を安定して行うことができると共に、天井パネルの組付け精度を高めることができる。
【００１６】
請求項５に係る天井パネル固定構造は、ユニットルームの天井を構成する天井パネルと、前記ユニットルームを区画する壁パネルの内壁面よりも外側に立設され、前記壁パネルの端縁が固定されると共に、前記天井パネルの角部を支持し、前記ユニットルームの内側に向けて開口する開口部を有すると共に、前記開口部に対向する位置に設けられた締結部を有する支柱と、前記支柱固定部が前記締結部に締結される請求項１〜請求項４の何れか１項に記載の天井パネル固定具と、を有する。
【００１７】
この天井パネル固定構造では、天井パネルが、天井パネル固定具を用いて支柱に固定される。天井パネル固定具の支柱固定部は、支柱の締結部に対して締結される。その締結作業は、支柱に設けられた開口部を通じて行われる。この開口部は、ユニットルームの内側に向けて開口しているので、壁先組み構造のユニットルームであっても、ユニットルームの内側から締結作業が行い易い。
【００１８】
請求項６の発明は、請求項５に記載の天井パネル固定構造において、前記支柱における前記締結部が、前記開口部に対向する平面である。
【００１９】
この天井パネル固定構造では、支柱において天井パネル固定具が締結固定される締結部が、開口部に対向する平面であるので、支柱に壁パネルが組み付けられていても、該壁パネルが締結作業の妨げとなり難い。このため、支柱に対する天井パネルの締結作業を円滑に行うことができる。
【発明の効果】
【００２０】
本発明に係る天井パネル固定具及び天井パネル固定構造によれば、ユニットルームを壁先組み工法で組み立てる際に、天井パネルの締結作業をユニットルームの内側から行い易くすることができる、という優れた効果が得られる。
【図面の簡単な説明】
【００２１】
【図１】図１から図６は、第１実施形態に係り、図１は、ユニットルームを示す分解斜視図である。
【図２】天井パネル固定具を示す斜視図である。
【図３】支柱の上端部を示す斜視図である。
【図４】天井パネル固定具が取り付けられた天井パネルと、支柱とを示す分解斜視図である。
【図５】（Ａ）は、支柱の上端部に支持された天井パネル及び天井パネル固定具を示す部分破断斜視図である。（Ｂ）は、図５（Ａ）における５Ｂ−５Ｂ矢視に相当する拡大断面図である。
【図６】天井パネル固定具が天井パネルに一体的に構成された例を示す斜視図である。
【図７】図７及び図８は、第２実施形態に係り、図７は、天井パネル固定具を示す斜視図である。
【図８】（Ａ）は、支柱の上端部に支持された天井パネル及び天井パネル固定具を示す部分破断斜視図である。（Ｂ）は、図８（Ａ）における８Ｂ−８Ｂ矢視に相当する拡大断面図である。
【発明を実施するための形態】
【００２２】
以下、本発明を実施するための形態を図面に基づき説明する。
【００２３】
［第１実施形態］
図１において、本実施形態に係る天井パネル固定構造Ｓは、ユニットルーム１０に用いられる。このユニットルーム１０は、壁先組み工法により組み立てることができるようになっている。
【００２４】
ここで、ユニットルーム１０の構成例について説明する。ユニットルーム１０は、浴槽１２Ａと床１２Ｂとが一体となった浴槽一体床パネル１２を備えている。浴槽一体床パネル１２の四隅には、支柱１４が図示しない金具で夫々固定されている。支柱１４間には、壁パネル１８が、ユニットルーム１０の内側（室内側）から配置される。なお、一部の壁パネル１８の側部にはドア２０が配置されている。
【００２５】
支柱１４の上端部には、ユニットルーム１０の天井を構成する天井パネル１６が搭載され固定される。天井パネル１６は、主に支柱１４で支持される。天井パネル１６及び壁パネル１８におけるユニットルーム１０の外側（室外側）には、図示しないリブが例えば格子状に形成されている。また、天井パネル１６及び壁パネル１８の外周縁に沿って、フランジ１６Ａ，１８Ａが形成されている。なお、浴槽一体床パネル１２、天井パネル１６及び壁パネル１８は、例えば、ＦＲＰ（繊維強化樹脂）等で形成されている。
【００２６】
本実施形態に係る天井パネル固定構造Ｓは、上記天井パネル１６と、上記支柱１４と、天井パネル固定具２２とを有している。
【００２７】
図１、図３、図４から図６において、支柱１４は、ユニットルーム１０を区画する壁パネル１８の内壁面１８Ｂよりも外側に立設され、壁パネル１８の端縁の一例たるフランジ１８Ａが固定され、天井パネル１６の角部１６Ｂを支持する部材である。また、支柱１４は、ユニットルーム１０の内側に向けて開口する開口部１４Ａと、開口部１４Ａに対向する位置に設けられた締結部１４Ｂを有する。締結部１４Ｂは、開口部１４Ａに対向する平面である。
【００２８】
具体的には、支柱１４は、例えば金属板を開断面構造に形成して構成され、４つの平板的な側部１４Ｃ、１４Ｄ、１４Ｅ、１４Ｆを有している。開口部１４Ａは、側部１４Ｃ、１４Ｆの間に形成され、支柱１４の例えば全長にわたって延びている。この開口部１４Ａは、壁パネル１８の組付け用に形成されると共に、支柱１４に対する天井固定部３０の締結時の作業用に形成されている。この作業は、後述するねじ２４により、天井固定部３０と支柱１４とを締結する作業である。側部１４Ｃ，１４Ｆの上端には、例えば円弧状の切欠き１４Ｋが形成されている。この切欠き１４Ｋは、例えば図４に示されるように、壁パネル１８の上縁のフランジ１８Ａと支柱１４との干渉を避けるために設けられている。なお、切欠き１４Ｋの形状はこれに限られない。
【００２９】
側部１４Ｃ、１４Ｄは、平面視で互いに直角に結合されている。側部１４Ｄ、１４Ｅは、平面視で互いに直角に配置され、かつ締結部１４Ｂにより連結されている。側部１４Ｅ、１４Ｆは、平面視で互いに直角に結合されている。締結部１４Ｂは、側部１４Ｄ、１４Ｅに対する面取り形状をなし、該側部１４Ｄ、１４Ｅに対して、例えば４５°傾斜している。この角度は、支柱１４に組み付けられる壁パネル１８の内壁面１８Ｂに対しても同様である。つまり、締結部１４Ｂは、該壁パネル１８の内壁面１８Ｂに対して、平面視で傾斜し、かつ開口部１４Ａに対向した傾斜面となっている。締結部１４Ｂには、ねじ２４（図５）が締結される貫通孔１４Ｇが、例えば１箇所形成されている。なお、ねじ２４の締結時に同様の貫通孔を形成可能であれば、貫通孔１４Ｇを予め形成しておかなくてもよい。
【００３０】
図４に示されるように、１つの支柱１４には、２枚の壁パネル１８が組み付けられる。ユニットルーム１０の内側から見て、支柱１４の左側に位置する壁パネル１８については、右側部のフランジ１８Ａが、開口部１４Ａを通じて側部１４Ｃの内側に差し込まれる。支柱１４の右側に位置する壁パネル１８については、左側部のフランジ１８Ａが、開口部１４Ａを通じて側部１４Ｆの内側に差し込まれる。各々の壁パネル１８は、例えば左右の壁パネル１８の間の間隙２６にコーナーパッキン２８を挿入することで支柱１４の側部１４Ｃ、１４Ｆの内側（締結部１４Ｂ側）に押し当てられて夫々固定される。これにより、支柱１４に組み付けられた２枚の壁パネル１８の内壁面１８Ｂは、互いに直角となる。
【００３１】
開口部１４Ａの大きさは、支柱１４に組み付けられた２枚の壁パネル１８の間に間隙２６が残存するように構成されている。これにより、図５（Ａ）に示されるように、壁パネル１８を先に組み付けた後に、開口部１４Ａから工具（図示せず）を差し込んで、ねじ２４を締結部１４Ｂの貫通孔１４Ｇに締結することが可能となっている。間隙２６は、最終的にはコーナーパッキン２８により塞がれるようになっている。
【００３２】
図２、図４、図５において、天井パネル固定具２２は、例えば樹脂成形品であり、天井パネル１６の角部１６Ｂに取付け可能に構成されている。具体的には、天井パネル固定具２２の上部が、天井パネル１６の角部１６Ｂに固定される天井固定部３０となっている。天井固定部３０は、平面視でＬ字形に構成されている。天井固定部３０には、水平方向に延びる長孔３０Ａが形成されている。図４に示されるように、この長孔３０Ａは、天井パネル１６を天井固定部３０に固定する際に、ねじ３２が締結される部位である。
【００３３】
また、天井パネル固定具２２は、支柱１４に締結される部位である支柱固定部３４を有している。図５（Ａ）に示されるように、支柱１４に対する支柱固定部３４の締結方向は、ユニットルーム１０の内側から外側に向かう方向、かつ角部１６Ｂを形成する天井パネル１６の２辺、例えばフランジ１６Ａに対して傾斜する方向に設定されている。締結方向とは、締結手段としてのねじ２４の進行方向である。支柱固定部３４は、天井固定部３０の下側に設けられ、支柱１４における締結部１４Ｂの内側に重ねて配置される。締結部１４Ｂが平面となっていることから、支柱固定部３４も、天井固定部３０に対して平面視で例えば４５°傾斜し、かつ支柱４５の開口部１４Ａに対向する平面となっている。これにより、支柱固定部３４が、締結部１４Ｂに平行に重なるようになっている。また、天井パネル１６の角部１６Ｂを形成する２辺のフランジ１６Ａは、平面視で例えば挟角９０°で交わっている。支柱１４に対する支柱固定部３４の締結方向は、該挟角を略２等分する方向、つまり双方のフランジ１６Ａに対して略４５°方向となっている。なお、この角度は、４５°に限られず、双方のフランジ１６Ａに対して傾斜する方向であればよい。
【００３４】
支柱１４において、締結部１４Ｂが開口部１４Ａに対向する位置に設けられているため、支柱固定部３４を締結部１４Ｂの内側に配置したときに、該支柱固定部３４も開口部１４Ａに対向する位置に配置されることになる。支柱固定部３４には、上下方向（支柱１４の長手方向）に延びる長孔３４Ａが形成されている。支柱１４の開口部１４Ａにより壁パネル１８間に形成される間隙２６から、ねじ２４を支柱固定部３４の長孔３４Ａに差し込み、締結部１４Ｂの貫通孔１４Ｇに締め付けることで、支柱固定部３４が締結部１４Ｂに締結されるようになっている（図５（Ａ），（Ｂ））。
【００３５】
更に、天井パネル固定具２２は、支柱１４に対して、支柱固定部３４と反対側に重ねて配置される当接部３６を有している。支柱固定部３４が支柱１４の内側に重ねて配置されることから、当接部３６は、支柱１４の外側に重ねて配置される。また、当接部３６は、天井固定部３０の下側で、かつ支柱固定部３４の両側に夫々設けられている。当接部３６には、上下方向（支柱１４の長手方向）に延びる長孔３６Ａが形成されている。なお、この長孔３６Ａは、従来工法において、天井パネル固定具２２を支柱１４の側部１４Ｄ，１４Ｅに締結する場合に用いることができる。したがって、長孔３６Ａが形成されていなくてもよい。
【００３６】
天井固定部３０及び当接部３６の内側は、例えば面一に構成されている。天井パネル固定具２２は、支柱１４に対して、該支柱１４の長手方向に係合可能な座部３８を有している。支柱固定部３４の上端は、座部３８を介して天井固定部３０と連結されている。これにより、支柱固定部３４は、座部３８により支持された片持ち構造とされている。支柱固定部３４と、その両側の当接部３６との間には、支柱１４が差し込まれるスリット４０が形成されている。図５（Ｂ）に示されるように、座部３８は、例えば支柱１４の上端部に係合可能となっている。
【００３７】
なお、図６に示されるように、天井パネル固定具２２は、天井パネル１６の角部１６Ｂに一体的に構成されていてもよい。この天井パネル固定具２２には、支柱固定部３４のみが設けられており、当接部３６（図４参照）が設けられていないが、該当接部３６を一体的に設けてもよい。
【００３８】
（作用）
本実施形態は、上記のように構成されており、以下その作用について説明する。図４、図５において、本実施形態に係る天井パネル固定構造Ｓでは、天井パネル１６が、天井パネル固定具２２を用いて支柱１４に固定される。まず、天井パネル固定具２２の天井固定部３０が、天井パネル１６の角部１６Ｂに、ねじ３２により締結固定される。天井パネル固定具２２の支柱固定部３４は、支柱１４の締結部１４Ｂに対して、ねじ２４により締結される。この締結部１４Ｂは、支柱１４の開口部１４Ａに対向する平面である。
【００３９】
図５（Ａ）に示されるように、天井パネル固定具２２を支柱１４に取り付ける際に、支柱固定部３４は締結部１４Ｂの内側に重ねて配置され、当接部３６は締結部１４Ｂの外側に重ねて配置される。これにより、支柱１４は、支柱固定部３４及び当接部３６により挟み込まれた状態となる。更に、このとき、図５（Ｂ）に示されるように、天井パネル固定具２２に設けられた座部３８が、支柱１４の例えば上端に対して、該支柱１４の長手方向に係合する。これにより、天井パネル１６の角部１６Ｂに固定された天井パネル固定具２２が支柱１４に仮支持されると共に、該天井パネル固定具２２が支柱１４に対して位置決めされる。
【００４０】
ねじ３２で支柱固定部３４を支柱１４に締結する際、支柱固定部３４がねじ３２と支柱１４の間に挟まれるので、支柱固定部３４が変形し難い。このため、支柱固定部３４のがたつきを抑制しつつ、該支柱固定部３４を支柱１４に固定できる。また、作業性を向上させることができる。
【００４１】
支柱固定部３４の長孔３４Ａ及び締結部１４Ｂの貫通孔１４Ｇに対するねじ２４の締結作業は、支柱１４に設けられた開口部１４Ａを通じて行われる。この開口部１４Ａは、天井パネル固定具２２の支柱固定部３４及び支柱１４の締結部１４Ｂに対向し、ユニットルーム１０の内側に向けて開口している。１本の支柱１４には、開口部１４Ａを利用して２枚の壁パネル１８が組み付けられているが、該壁パネル１８の間には間隙２６が残存している。したがって、壁パネル１８がねじ２４の締結作業の妨げとなり難い。
【００４２】
このように、本実施形態によれば、ユニットルーム１０を壁先組み工法で組み立てる際に、天井パネル１６の締結作業をユニットルーム１０の内側から行い易くすることができる。具体的には、支柱１４に対する支柱固定部３４の締結作業を安定して行うことができ、支柱１４に対する天井パネル１６の組付け作業を円滑に行うことができる。また、天井パネル１６の組付け精度を高めることができる。
【００４３】
［第２実施形態］
図７、図８において、本実施形態に係る天井パネル固定具２２は、支柱固定部３４は、支柱１４の外側に重ねて配置されるようになっている。具体的には、天井パネル固定具２２には、当接部３６に対して傾斜した支柱固定部３４が設けられており、該支柱固定部３４が支柱１４の締結部１４Ｂの外側に重なるようになっている。支柱固定部３４は当接部３６に連なっており、第１実施形態の天井パネル固定具２２のようなスリット４０（図３）は形成されていない。支柱固定部３４の上端には、天井パネル１６の角部１６Ｂを載せることが可能な座部４２が形成されている。
【００４４】
図８（Ａ），（Ｂ）に示されるように、本実施形態では、天井パネル１６の角部１６Ｂに、天井パネル固定具２２の天井固定部３０を締結固定する際に、天井パネル１６の角部１６Ｂを座部４２の上に載せることにより、天井固定部３０に対する天井パネル１６の位置決めができる。したがって、天井パネル１６に対する天井固定部３０の締結固定において、作業性を高めることができる。
【００４５】
天井パネル固定具２２を支柱１４に取り付ける際には、支柱固定部３４及び当接部３６は、何れも締結部１４Ｂの外側に重ねて配置される。このとき、図５（Ｂ）に示されるように、支柱１４の上端に天井パネル１６を載置して位置決めするようにしてもよい。
【００４６】
締結部１４Ｂの貫通孔１４Ｇ及び支柱固定部３４の長孔３４Ａに対するねじ２４の締結作業は、支柱１４に設けられた開口部１４Ａ（壁パネル１８間の間隙２６）を通じて行われる。このとき、ねじ２４の締結作業は、ユニットルーム１０の内側から行われることから、ねじ２４は、支柱１４の貫通孔１４Ｇに差し込まれ、支柱固定部３４の長孔３４Ａに締め付けられる。したがって、支柱固定部３４の厚さは、ねじ２４との締結強度を考慮して設定される。
【００４７】
なお、本実施形態では、支柱固定部３４及び当接部３６が、共に支柱１４の外側に重ねて配置されているが、支柱固定部３４が支柱１４の外側に重ねて配置され、当接部３６が支柱１４の内側に重ねて配置されるように構成してもよい。
【００４８】
他の部分については、第１実施形態と同様であるので、同一の部分には図面に同一の符号を付し、説明を省略する。
【００４９】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５０】
上記実施形態に係る天井パネル固定具２２及び天井パネル固定構造Ｓは、壁先組み工法だけでなく、天井先組み工法にも適用可能である。
【００５１】
開口部１４Ａと締結部１４Ｂとの位置関係は、支柱１４の対角方向に限られず、例えば支柱１４の幅方向（壁パネル１８の面方向）であってもよい。この場合、締結部１４Ｂは、壁パネル１８の内壁面１８Ｂに対して傾斜していなくてもよい。
【００５２】
第１実施形態において、天井パネル固定具２２が、支柱１４に対して該支柱１４の長手方向に係合する座部３８を有するものとしたが、該座部３８を有しない構成としてもよい。
【符号の説明】
【００５３】
１０…ユニットルーム、１４…支柱、１４Ａ…開口部、１４Ｂ…締結部、１６…天井パネル、１６Ｂ…角部、１８…壁パネル、１８Ｂ…内壁面、２２…天井パネル固定具、３０…天井固定部、３４…支柱固定部、３６…当接部、３８…座部、Ｓ…天井パネル固定構造
【図１】
0006622003.tif 000002
【図２】
0006622003.tif 000003
【図３】
0006622003.tif 000004
【図４】
0006622003.tif 000005
【図５】
0006622003.tif 000006
【図６】
0006622003.tif 000007
【図７】
0006622003.tif 000008
【図８】
0006622003.tif 000009